(57)【特許請求の範囲】
【請求項１】
上面板と、底面板と、前記上面板及び前記底面板を連結する２つの側面板と、前記各側面板の両端縁に連続する内フラップと、前記上面板及び前記底面板のそれぞれの両端縁に連続する外フラップとを備えるラップアラウンド式の段ボール製包装箱であって、
前記各側面板には、その略中央部に一対の引裂開始片が設けられているとともに、前記内フラップの端縁まで相互に略平行に延伸する略直線状の２本のライナーカットが形成されており、
前記２本のライナーカットにより、前記一対の引裂開始片のそれぞれに連続する引裂帯体が構成され、 
少なくとも前記側面板の前記ライナーカット上には、前記ライナーカットに沿って前記引裂帯体を引き裂きやすくすることのできる段潰し部が設けられており、 
前記段潰し部は、前記各側面板の前記２本のライナーカット及び前記引裂帯体に重なるようにして設けられていることを特徴とする包装箱。
【請求項２】
前記段潰し部は、前記ライナーカット上に連続的に設けられていることを特徴とする請求項１に記載の包装箱。
【請求項３】
前記段潰し部は、前記ライナーカット上に断続的に複数設けられていることを特徴とする請求項１に記載の包装箱。
【請求項４】
前記２本のライナーカットは、前記引裂開始片上を通るように形成されており、
前記段潰し部は、前記ライナーカットのうちの前記引裂開始片上に重なる部分以外のライナーカット上に少なくとも設けられていることを特徴とする請求項１〜３のいずれかに記載の包装箱。
【請求項５】
前記段潰し部は、前記側面板の前記ライナーカットが形成されている面側に段潰し加工が施されることにより設けられてなる第１の段潰し部と、当該第１の段潰し部を設けるための段潰し加工が施された面の反対面側に段潰し加工がさらに施されることにより設けられてなる第２の段潰し部とを有することを特徴とする請求項１〜４のいずれかに記載の包装箱。
【請求項６】
前記第２の段潰し部が、前記ライナーカットに交差する波線形状を有することを特徴とする請求項５に記載の包装箱。
【請求項７】
前記第２の段潰し部が、断続的に複数設けられていることを特徴とする請求項５に記載の包装箱。
【発明の詳細な説明】
【技術分野】
【０００１】
本発明は、缶製品等の容器製品物を包み込むように収納するいわゆるラップアラウンド式の段ボール製包装箱に関する。
【背景技術】
【０００２】
いわゆるラップアラウンド式の包装箱は、一般に、矩形状の一対の上面板及び底面板と、これらを連結する一対の側面板と、各側面板の端縁に連続する内フラップと、上面板及び底面板のそれぞれの端縁に連続する外フラップとを備える。かかる構成を有するラップアラウンド式の包装箱の中には、各側面板に切り取りライン（ミシン目状ジッパー）が形成されてなるものがあり、このような包装箱は、切り取りラインによって構成される引裂帯体を当該切り取りラインに沿って引き裂くことによって上箱及び下箱に分断され、下箱をそのまま商品を載せる紙トレーとして利用することができる。
【０００３】
具体的には、図６に示すように、従来のラップアラウンドカートンケース３００は、その側面板３２０の中央部に、略台形状にミシン目状のカットにより実質的に密接する一対の引裂開始片３２１，３２５が形成されているとともに、当該側面板３２０の内側（裏ライナー）にのみ、内フラップまで至るミシン目状の２本のライナーカットが形成されている。そして、この２本のライナーカットにより引裂帯体が構成される。
【０００４】
このような構成を有するラップアラウンドカートンケース３００においては、一対の台形状の引裂開始片３２１，３２５のそれぞれを把持して、側面板３２０の中央から両端縁（矢印方向）に向かって各引裂開始片３２１，３２５を互いに遠ざけるように引っ張り、ライナーカットに沿って引裂帯体を引き裂くことにより、最終的に箱体がトレー状の上箱及び下箱に分断されるようになっている（例えば、特許文献１等）。
【０００５】
このような従来のラップアラウンドカートンケースにおいては、ライナーカットが内側（裏ライナー）にのみ形成されており、外側（表ライナー）及び中芯にはライナーカットが形成されていないため、当該ケースを開封する際に、引裂帯体をライナーカットに沿って引き裂き難く、引裂帯体を引き裂くのに相当な力を要してしまう。また、無理に引裂帯体を引き裂こうとすると、引裂帯体がライナーカットに沿って引き裂かれずに引裂帯体の帯幅が漸減的に収束し、それにより引裂き不全が生じてしまったり、引裂帯体が引裂き途中で断絶してしまったりして、トレーを安定的に、かつ確実に形成することができない場合がある。
【０００６】
このような状態で開封作業が中断してしまった場合、新たに何らかの手法を用いて残存する引裂帯体の端部に把持し得る部分を形成した上で、ライナーカットに沿って引裂帯体を引き裂き、トレー作製作業を継続する必要がある。このように、一旦引裂帯体が千切れてしまった後にトレー作製作業を継続するのは非常に煩雑であり、また、作業の仕方次第では内容物を傷つけるおそれが生じたり、引裂面の外観も悪くなったりする。
【０００７】
一方、側面板の内側（裏ライナー）と同様に、中芯及び外側（表ライナー）にもミシン目状のライナーカットを形成すれば、すなわち、側面板を貫通するミシン目状のカット線を形成すれば、引裂帯体をライナーカット（カット線）に沿って容易に引き裂くことができるものの、ラップアラウンドカートンケースの側面板の短手方向にかかる荷重に対する強度が低下してしまい、特にケースを複数段積み重ねた場合に胴膨れ（側面板の膨れ）が顕著に生じてしまうという問題がある。
【０００８】
このような問題を解決するために、従来、包装箱の側面板の内側（裏面側のライナー）に形成された２本のライナーカット（切目線）に沿って、両ライナーカット（切目線）の外側近傍を側面板の内側（裏面側）からつぶしてなる押圧線を有する包装箱が提案されている（特許文献２参照）。
【先行技術文献】
【特許文献】
【０００９】
【特許文献１】特開平１１−１７１１７２号公報
【特許文献２】実開平４−４１８２５号公報
【発明の概要】
【発明が解決しようとする課題】
【００１０】
特許文献２に記載の包装箱は、２本のライナーカット（切目線）の外側近傍を側面板の内側（裏面側）からつぶしてなる押圧線を有することで、押圧線を有しない（ライナーカットの外側近傍がつぶされていない）包装箱よりもライナーカット（切目線）に沿って引裂帯体が引き裂かれやすくなっているものの、さらに容易に引き裂くことのできる包装箱が要望されているという現状がある。
【００１１】
また、ライナーカット（切目線）と押圧線とは、それぞれ別工程にて形成されることで、押圧線がライナーカット（切目線）よりもさらに外側に離れた位置に形成されてしまう可能性を否定することはできない。そのような場合には、ライナーカット（切目線）に沿って引き裂くことがより困難になるおそれがある。
【００１２】
さらに、ライナーカット（切目線）に沿って、それぞれのライナーカット（切目線）の外側近傍を側面板の内側（裏面側）からつぶすことにより押圧線が形成されているため、押圧線を形成する工程においてライナーカット（切目線）の少なくとも一部が破断してしまうおそれがある。このように、ライナーカット（切目線）の少なくとも一部が破断してしまうと、包装箱としての商品価値が低下してしまうし、最悪の場合には包装箱の強度が低下して、複数段積み重ねた場合に胴膨れが発生してしまう可能性も否定することができない。
【００１３】
このような実情に鑑みて、本発明は、開封作業（トレー作製作業）をより容易に行うことができ、かつ複数段積み重ねた場合に胴膨れの発生を抑制し得る程度の強度を少なくとも有するラップアラウンド式の段ボール製包装箱を提供することを目的とする。
【課題を解決するための手段】
【００１４】
上記課題を解決するために、本発明は、上面板と、底面板と、前記上面板及び前記底面板を連結する２つの側面板と、前記各側面板の両端縁に連続する内フラップと、前記上面板及び前記底面板のそれぞれの両端縁に連続する外フラップとを備えるラップアラウンド式の段ボール製包装箱であって、前記各側面板には、その略中央部に一対の引裂開始片が設けられているとともに、前記内フラップの端縁まで相互に略平行に延伸する略直線状の２本のライナーカットが形成されており、前記２本のライナーカットにより、前記一対の引裂開始片のそれぞれに連続する引裂帯体が構成され、少なくとも前記側面板の前記ライナーカット上には、前記ライナーカットに沿って前記引裂帯体を引き裂きやすくすることのできる段潰し部が設けられており、前記段潰し部は、前記各側面板の前記２本のライナーカット及び前記引裂帯体に重なるようにして設けられていることを特徴とする包装箱を提供する（発明１）。
【００１５】
なお、本発明において「段潰し部」とは、包装箱を構成する段ボールの中芯が座屈する程度に潰されている部分を意味し、例えば、段潰し部が設けられている部分の厚みは、段潰し加工が施される前の当該部分の厚みの２０〜８０％程度であるものとする。
【００１６】
上記発明（発明１）においては、前記段潰し部は、前記ライナーカット上に連続的に設けられていてもよいし（発明２）、前記ライナーカット上に断続的に複数設けられていてもよい（発明３）。
【００１８】
上記発明（発明１〜３）においては、前記２本のライナーカットは、前記引裂開始片上を通るように形成されており、前記段潰し部は、前記ライナーカットのうちの前記引裂開始片上に重なる部分以外のライナーカット上に少なくとも設けられているのが好ましい（発明４）。
【００１９】
上記発明（発明１〜４）においては、前記段潰し部は、前記側面板の前記ライナーカットが形成されている面側に段潰し加工が施されることにより設けられてなる第１の段潰し部と、当該第１の段潰し部を設けるための段潰し加工が施された面の反対面側に段潰し加工がさらに施されることにより設けられてなる第２の段潰し部とを有するのが好ましい（発明５）。
【００２０】
上記発明（発明５）においては、前記第２の段潰し部が、前記ライナーカットに交差する波線形状を有するものであってもよいし（発明６）、前記第２の段潰し部が、断続的に複数設けられていてもよい（発明７）。
【発明の効果】
【００２１】
本発明によれば、開封作業（トレー作製作業）をより容易に行うことができ、かつ複数段積み重ねた場合に胴膨れの発生を抑制し得る程度の強度を少なくとも有するラップアラウンド式の段ボール製包装箱を提供することができる。
【図面の簡単な説明】
【００２２】
【図１】図１は、本発明の一実施形態に係る包装箱を示す展開図である。
【図２】図２は、本発明の一実施形態に係る包装箱の段潰し部の構成を示す部分断面斜視図である。
【図３】図３は、本発明の一実施形態に係る包装箱を示す概略斜視図である。
【図４】図４は、本発明の一実施形態に係る包装箱の段潰し部の他の構成例を示す部分平面図である。
【図５】図５は、試験例１における被験試料の作製及び試験方法の工程を示すフロー図である。
【図６】図６は、従来の包装箱を示す概略斜視図である。
【発明を実施するための形態】
【００２３】
以下、本発明の一実施形態に係る包装箱について、図面を参照しながら説明する。
図１は、本実施形態に係る包装箱を示す展開図であり、図２は、本実施形態に係る包装箱の段潰し部の構成を示す部分断面斜視図である。また、図３は、本実施形態に係る包装箱（図１の展開図に示される箱オリジナル紙を組み立てた状態のもの）を示す斜視図である。
【００２４】
図１に示すように、本実施形態に係る包装箱１は、上面板２、底面板３、及びそれらを連結する２つの側面板４，５を有する帯状の胴部と、上面板２及び底面板３のそれぞれの端縁に連設される外フラップ１１，１２と、２つの側面板４，５のそれぞれの端縁側に連設される内フラップ１３，１４とを備えるラップアラウンド式の段ボール製包装箱であって、上面板２及び底面板３が８角形のコーナーカット形状をなし、２つの側面板４，５のそれぞれと内フラップ１３，１４とを連結する折り曲げ連接片１５，１６を有する、いわゆるコーナーカットカートンと称されるラップアラウンド式の包装箱である。
【００２５】
かかる包装箱１は、上面板２、底面板３、及び２つの側面板４，５を有する帯状の胴部で容器製品物（缶ビール等の缶製品群）を包み込むように収納した後、一の側面板４に連続する糊代片１７により筒状に一体固着し、折り目線２１，２２から４つの折り曲げ連接片１５，１６が内側に折り込まれ、さらに折り目線２３，２４から４つの内フラップ１３，１４が内側に折り込まれ、さらに折り目線２５，２６から４つの外フラップ１１，１２が内側に折り込まれ、内フラップ１３，１４と外フラップ１１，１２とが固着されることで、図３に示すような包装箱１が完成する。この状態は、いわゆる出荷箱に相当する。なお、組み立て手法は、上記手法に限定されるものではない。
【００２６】
本実施形態に係る包装箱１において、２つの側面板４，５の内面（裏ライナー）の略中央部には、側面板４，５の長手方向に延伸する略直線状の２本のライナーカットＬ１，Ｌ２が互いに略平行に形成されており、かかるライナーカットＬ１，Ｌ２は、側面板４，５に折り目線２１〜２４を介して連設される折り曲げ連接片１５，１６及び内フラップ１３，１４まで連続して形成されている。また、２つの側面板４，５のそれぞれの略中央部には、側面板４，５の短手方向に略平行なミシン目状のカット線と、当該カット線の両端部から側面板４，５の両端縁側（側面板４，５に連設される折り曲げ連接片１５，１６側）に向けて、かつ２本のライナーカットＬ１，Ｌ２に近づくようにミシン目状のカット線が設けられ、それらのカット線により略台形状の引裂開始片４１，４２が形成される。そして、２本のライナーカットＬ１，Ｌ２により、引裂開始片４１，４２のそれぞれに連続する引裂帯体３１，３２が構成される。なお、本実施形態において、側面板４，５の略中央部とは、側面板４，５の幾何学的な中心位置から距離換算で側面板４，５長手方向及び短手方向のそれぞれの全長に対して３０％以内の領域を意味する。
【００２７】
図１及び図２に示すように、本実施形態に係る包装箱１は、２つの側面板４，５のそれぞれの内面側から段潰し加工を施すことにより設けられた、２本のライナーカットＬ１，Ｌ２に重なる段潰し部５１を有する。
【００２８】
本実施形態において、段潰し部５１は、２本のライナーカットＬ１，Ｌ２に重なるようにして引裂帯体３１，３２上に段潰し加工を施すことにより形成されている。すなわち、段潰し部５１は、側面板４，５の短手方向における段潰し部５１の幅が当該方向における引裂帯体３１，３２の幅よりも大きくなるように、かつ引裂帯体３１，３２上及び２本のライナーカットＬ１，Ｌ２上に重なるようにして、所定の領域（図１中の斜線で示される略方形状の領域）に設けられている。なお、段潰し部５１の幅及び引裂帯体３１，３２の幅は、包装箱１の大きさ、包装箱１に包装される容器製品物の重さ等に応じて適宜設定することができる。
【００２９】
上記のような構成を有する本実施形態に係る包装箱１は、側面板４，５の略中央部に形成されているカット線に沿ってカットし、略台形状の一対の引裂開始片４１，４２を把持して一対の引裂開始片４１，４２を相互に遠ざけるように側面板４，５の端縁側に向かって引っ張ることで、引裂帯体３１，３２がライナーカットＬ１，Ｌ２に沿って引き裂かれ、上箱と下箱とに分断され得る。本実施形態に係る包装箱１においては、ライナーカットＬ１，Ｌ２に重なるようにして段潰し部５１が設けられていることで、一対の引裂開始片４１，４２を把持してそれらを相互に遠ざけるように側面板４，５の端縁側に向かって引っ張ったときに、ライナーカットＬ１，Ｌ２に沿って引裂帯体３１，３２が引き裂かれやすくなっている。そのため、引裂帯体３１，３２が途中で断絶することなく、ライナーカットＬ１，Ｌ２に沿って容易に引き裂くことができる。したがって、包装箱１を開封し、段ボール製トレーを作製する作業をより容易に、かつ確実に行うことができる。
【００３０】
また、上記実施形態に係る包装箱１においては、段潰し部５１が２本のライナーカットＬ１，Ｌ２上に重なるようにして形成されるため、段潰し部５１を形成する過程においてライナーカットＬ１，Ｌ２が破断してしまうおそれはない。そのため、包装箱としての商品価値を低下させることがない。また、ライナーカットＬ１，Ｌ２の破断による包装箱１の強度低下を顕著に防止することができ、結果として包装箱１を複数段積み重ねたとしても胴膨れの発生を顕著に抑制することができる。
【００３１】
さらに、一般には、ライナーカットＬ１，Ｌ２と平行な方向に引裂開始片４１，４２を引っ張ることにより、引裂帯体３１，３２をライナーカットＬ１，Ｌ２に沿って引き裂きやすくなるが、実際に包装箱１を開封するときには、包装箱１を床等に載置したまま、屈んだ状態で引裂開始片４１，４２を相互に遠ざけるように引っ張ることが多い。この場合、ライナーカットＬ１，Ｌ２と平行な方向に対して若干斜め上方に向かって引裂開始片４１，４２を引っ張ることになるため、引裂帯体３１，３２の途中断絶等の引裂不全が生じることがある。しかしながら、本実施形態に係る包装箱１によれば、ライナーカットＬ１，Ｌ２上に段潰し部５１が設けられていることで、引裂開始片４１，４２をライナーカットＬ１，Ｌ２と平行な方向に対して若干斜め上方に向かって引っ張ったとしても、引裂不全が生じることなく、引裂帯体３１，３２をライナーカットＬ１，Ｌ２に沿って容易に引き裂くことができる。
【００３２】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００３３】
上記実施形態においては、側面板４，５の２本のライナーカットＬ１，Ｌ２に重なる段潰し部５１が設けられているが、本発明はこのような態様に限定されるものではなく、内フラップ１３，１４及び折り曲げ連接片１５，１６のライナーカットＬ１，Ｌ２に重なる段潰し部５１がさらに設けられていてもよい。
【００３４】
上記実施形態においては、２本のライナーカットＬ１，Ｌ２により構成される引裂帯体３１，３２及び一対の引裂開始片４１，４２の一体に当該ライナーカットに重なる段潰し部５１が設けられているが、本発明はこのような態様に限定されるものではなく、２本のライナーカットＬ１，Ｌ２のうちの引裂開始片４１，４２上に重なる部分以外のライナーカットＬ１，Ｌ２上に少なくとも設けられていればよく、ライナーカットＬ１，Ｌ２のうちの引裂開始片４１，４２上に重なる部分には段潰し部５１が設けられていなくてもよい。
【００３５】
上記実施形態においては、側面板４，５の内面（裏ライナー）の２本のライナーカットＬ１，Ｌ２に重なるように、引裂帯体３１，３２上に段潰し加工を施すことにより段潰し部５１が形成されているが、本発明はこのような態様に限定されるものではなく、例えば、図４に示すように、２本のライナーカットＬ１，Ｌ２のそれぞれ上に段潰し加工を施すことにより２つの段潰し部５１が形成されていてもよいし（図４（Ａ）参照）、所定のパターン形状を有する段潰し部５１が複数断続的に形成されていてもよいし（図４（Ｂ）〜（Ｄ）参照）、２本のライナーカットＬ１，Ｌ２に重なるようにして波線形状の段潰し部５１が形成されていてもよい（図４（Ｅ），（Ｆ））。また、側面板４，５の段潰し部５１が形成された面（例えば内面）と反対側の面（例えば外面）に、図４（Ａ）〜（Ｆ）に示す態様の段潰し部５２がさらに形成されていてもよい。これにより、一対の引裂開始片４１，４２を把持してそれらを相互に遠ざけるように側面板４，５の端縁側に向かって引っ張ったときに、ライナーカットＬ１，Ｌ２に沿って引裂帯体３１，３２がさらに引き裂かれやすくなるという効果を奏し得る。
【００３６】
上記実施形態においては、側面板４，５と内フラップ１３，１４とをそれぞれ連結する折り曲げ連接片１５，１６を有し、それにより上記実施形態に係る包装箱１は、上面板２（又は底面板３）側から見た平面形状が、角部が切り取られた八角形状を有するものであるが、本発明はこのような態様に限定されるものではなく、折り曲げ連接片１５，１６を有さず、側面板４，５の端縁に内フラップ１３，１４が直接連設されてなる、上面板２（又は底面板３）側から見た平面形状が方形状を有するものであってもよい。
【実施例】
【００３７】
以下、実施例及び比較例を挙げて本発明をさらに詳細に説明するが、本発明は、下記の実施例等に何ら限定されるものではない。
【００３８】
［試験例１］引裂強度（引張荷重）試験
〔実施例１〕
５００ｍＬ缶ビール２４本（６本パック×４個）を包装するための包装箱１（図１に示す展開状態のものを組み立ててなる包装箱１）を作製し（図５（Ａ）参照）、当該包装箱１の一の折り曲げ連接片１５を含むようにして１／４（図５（Ａ）において二点破線で示す部分）を切り出して被験試料とした（図５（Ｂ）参照）。そして、一の引裂開始片４１を内フラップ１３の端縁側に向けて引張速度２００ｍｍ／ｍｉｎで引っ張り（図５（Ｃ）参照）、引裂帯体３１がライナーカットＬ１，Ｌ２に沿って内フラップ１３の端縁まで引き裂かれるまでの引張荷重（Ｎ）を、ロードセル（島津製作所社製，製品名：精密万能試験機オートグラフ  ＡＧ−ＩＳ）を用いて測定し、得られた測定値の平均値（算術平均）を算出した。
【００３９】
〔実施例２〕
包装箱１が、３５０ｍＬ缶ビール２４本を包装するための包装箱１である以外は上記実施例１と同様の構成を有する包装箱１を作製し、実施例１と同様にして引張荷重（Ｎ）を測定し、得られた測定値の平均値（算術平均）を算出した。
【００４０】
〔比較例１〕
段潰し部５１が設けられていない以外は上記実施例１と同様の構成を有する包装箱１を、上記実施例１と同一材質の段ボールを用いて作製し、実施例１と同様にして引張荷重（Ｎ）を測定し、得られた測定値の平均値（算術平均）を算出した。
【００４１】
〔比較例２〕
段潰し部５１が設けられていない以外は上記実施例２と同様の構成を有する包装箱１を、上記実施例２と同一材質の段ボールを用いて作製し、実施例２と同様にして引張荷重（Ｎ）を測定し、得られた測定値の平均値（算術平均）を算出した。
【００４２】
〔比較例３〕
実開平４−４１８２５号公報の図３に記載の包装箱（３５０ｍＬ缶ビール２４本を包装可能）のように２本のライナーカット（切目線）に沿って、それらの外側に段潰し部（押圧線）が設けられている以外は上記実施例２と同様の構成を有する包装箱を、上記実施例１と同一材質の段ボールを用いて作製し、実施例２と同様にして引張荷重（Ｎ）を測定し、得られた測定値の平均値（算術平均）を算出した。
【００４３】
上記測定の結果、実施例１の包装箱１は、比較例１の包装箱１に対して５５．１％の引張荷重で引裂帯体を引き裂くことが可能であった。また、実施例２の包装箱１は、比較例２の包装箱１に対して７４．３％の引張荷重で引裂帯体３１（３２）を引き裂くことが可能であった。このことから、実施例１及び２の包装箱は開封作業が容易であることが確認された。
【００４４】
さらに、比較例３の包装箱は、比較例２の包装箱１に対して９１．７％の引張荷重で引裂帯体を引き裂くことが可能であった。この結果から、実施例１及び２の包装箱は、比較例３の包装箱に比して顕著に開封作業が容易であることが確認された。なお、比較例３の包装箱は、段潰し部（押圧線）を形成する工程において２本のライナーカット（切目線）の一部が破断してしまった。
【００４５】
［試験例２］引き裂き角度試験
実施例１〜２、比較例１〜２の包装箱１に関し、引裂開始片４１，４２を引っ張る方向の、側面板４，５の長手方向に対するなす角度によって、引裂帯体３１，３２の断絶等の引裂不全が生じるか否かについて試験した。
【００４６】
その結果、実施例１及び２の包装箱１においては、当該角度が１５度においてもライナーカットＬ１，Ｌ２に沿って引裂帯体３１，３２を引き裂くことができたが、比較例１及び２の包装箱１においては、当該角度が１５度になると、引裂帯体３１，３２をライナーカットＬ１，Ｌ２に沿って引き裂くことができず、引裂不全が生じてしまった。
【００４７】
上記の試験結果から本発明の効果は明らかである。すなわち、本発明は、２本のライナーカット上に段潰し部が設けられているという構成を有していることで、包装箱の開封作業（トレー作製作業）を容易に行うことができるという効果を奏し得るとともに、引裂開始片をライナーカットと平行な方向に対して若干斜め上方に向かって引っ張ったとしても、引裂不全が生じることなく、引裂帯体をライナーカットに沿って容易に引き裂くことができるという効果をも奏し得る。特に、本発明によれば、段潰し部５１がライナーカットＬ１，Ｌ２上に設けられていることで、開封作業を極めて容易に行うことができる。
【産業上の利用可能性】
【００４８】
本発明の包装箱は、一定数量の缶ビール、缶入り発泡酒、缶入りチューハイ、缶ジュース、缶コーヒー、缶入り紅茶、缶入り緑茶等の飲料缶（容器詰飲料）をまとめて包装するための包装箱として有用である。
【符号の説明】
【００４９】
１…包装箱
２…上面板
３…底面板
４，５…側面板
１１，１２…外フラップ
１３，１４…内フラップ
４１，４２…引裂開始片
Ｌ１，Ｌ２…ライナーカット
５１，５２…段潰し部
【図１】
0005746918.tif 000002
【図２】
0005746918.tif 000003
【図３】
0005746918.tif 000004
【図４】
0005746918.tif 000005
【図５】
0005746918.tif 000006
【図６】
0005746918.tif 000007